【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
印刷装置と通信可能な情報処理装置であって、
文書データを印刷する際、前記文書データの本文部分用のページが印刷された第１シートを、前記文書データの表紙部分用のページが印刷された第２シートで挟む製本指定を設定する設定手段と、
前記製本指定が設定され、かつ、前記印刷装置と紙搬送路が繋がっていない製本機が使用される場合、前記文書データにおける本文部分用の先頭ページから最終ページがページ順に並んだ指定された部数分の本文の印刷物の束と指定された部数に相当する枚数の表紙の印刷物の束とが出力されるような印刷データを生成する生成手段とを備え、
前記第２シートは、前記第１シートよりも大きいことを特徴とする情報処理装置。
【請求項２】
前記生成手段によって生成された印刷データを前記印刷装置に送信する送信手段を更に備えることを特徴とする請求項１に記載の情報処理装置。
【請求項３】
プリンタドライバを用いて、前記生成手段によって生成された印刷データを印刷ジョブに変換する変換手段と、
前記変換手段によって変換された印刷ジョブを前記印刷装置に送信する送信手段とを更に備えることを特徴とする請求項１に記載の情報処理装置。
【請求項４】
前記生成手段は、前記製本指定が設定されている場合に、前記本文の束と前記表紙の束とに分かれるように前記印刷データを生成することを特徴とする請求項１乃至３のいずれか１項に記載の情報処理装置。
【請求項５】
前記生成手段は、前記製本指定が設定されており、さらに部単位印刷が設定され、かつ製本処理が前記印刷装置の外部装置である製本機を用いて行われ、かつ表紙について部単位に分けることが設定されていない場合に、前記本文の束と前記表紙の束とに分かれるように印刷データを生成することを特徴とする請求項１乃至３のいずれか１項に記載の情報処理装置。
【請求項６】
前記生成手段は、前記製本指定が設定されており、さらにバリアブル印刷が設定され、かつ印刷すべき複数のレコードが存在し、かつ製本処理がオフライン製本機を用いて行われ、かつ前記印刷すべき複数のレコード分の表紙をまとめて出力する設定されている場合に、前記本文部分と表紙部分とを分けて前記印刷データを生成することを特徴とする請求項１乃至３のいずれか１項に記載の情報処理装置。
【請求項７】
前記生成手段は、前記本文部分と前記表紙部分とを相異なる印刷装置に向けて生成でき、
前記送信手段は、前記生成手段により生成された本文部分の印刷データと表紙部分の印刷データとを異なる印刷装置に対して送信することを特徴とする請求項２又は請求項２を引用する請求項３乃至６のいずれか１項に記載の情報処理装置。
【請求項８】
前記印刷データの印刷物について製本処理を実行する製本機が、表紙部分と本文部分とを別々の給紙口から給紙して製本処理を実行する場合、前記生成手段は、前記文書データにおける本文対象の第１ページから最終ページが、部単位に、かつ、指定された部数分繰り返し印刷される前記本文用の印刷データと、指定された部数に相当する枚数の表紙が印刷される表紙用の印刷データとを生成し、
一方、前記印刷データの印刷物について製本処理を実行する製本機が、表紙部分と本文部分とを同一の給紙口から給紙して製本処理を実行する場合、前記生成手段は、表紙と文書データにおける本文対象の第１ページから最終ページとが指定された部数分繰り返し印刷される印刷データを生成することを特徴とする請求項１に記載の情報処理装置。
【請求項９】
印刷対象となる複数ページを含む文書データを印刷する際、前記複数ページにおいて本文部分に使用されるページが印刷されたシートを、前記複数ページにおいて表紙部分に使用されるページが印刷されたシートで挟む製本指定を設定する設定手段と、
前記製本指定が設定されている場合、前記文書データにおける本文対象の第１ページから最終ページが、レコード単位に、かつ、指定されたレコード数分繰り返し印刷される本文用の印刷データと、指定されたレコード数分に相当する枚数の表紙が出力される表紙用の印刷データとを生成する生成手段と
を備えることを特徴とする情報処理装置。
【請求項１０】
印刷装置と通信可能であり、設定手段と生成手段とを有する情報処理装置における情報処理方法であって、
文書データを印刷する際、前記文書データの本文部分用のページが印刷された第１シートを、前記文書データの表紙部分用のページが印刷された第２シートで挟む製本指定を前記設定手段が設定する設定工程と、
前記製本指定が設定され、かつ、前記印刷装置と紙搬送路が繋がっていない製本機が使用される場合、前記文書データにおける本文部分用の先頭ページから最終ページがページ順に並んだ指定された部数分の本文の印刷物の束と指定された部数に相当する枚数の表紙の印刷物の束とが出力されるような印刷データを前記生成手段が生成する生成工程とを有し、
前記第２シートは、前記第１シートよりも大きいことを特徴とする情報処理装置。
【請求項１１】
設定手段と生成手段とを有する情報処理装置における情報処理方法であって、
印刷対象となる複数ページを含む文書データを印刷する際、前記複数ページにおいて本文部分に使用されるページが印刷されたシートを、前記複数ページにおいて表紙部分に使用されるページが印刷されたシートで挟む製本指定を前記設定手段が設定する設定工程と、
前記製本指定が設定されている場合、前記文書データにおける本文対象の第１ページから最終ページが、レコード単位に、かつ、指定されたレコード数分繰り返し印刷される本文用の印刷データと、指定されたレコード数分に相当する枚数の表紙が出力される表紙用の印刷データとを、前記生成手段が生成する生成工程と
を備えることを特徴とする情報処理方法。
【請求項１２】
印刷装置と通信可能なコンピュータを、
文書データを印刷する際、前記文書データの本文部分用のページが印刷された第１シートを、前記文書データの表紙部分用のページが印刷された第２シートで挟む製本指定を設定する設定手段と、
前記製本指定が設定され、かつ、前記印刷装置と紙搬送路が繋がっていない製本機が使用される場合、前記文書データにおける本文部分用の先頭ページから最終ページがページ順に並んだ指定された部数分の本文の印刷物の束と指定された部数に相当する枚数の表紙の印刷物の束とが出力されるような印刷データを生成する生成手段として機能させるためのプログラムであって、 前記第２シートは、前記第１シートよりも大きいことを特徴とするプログラム。
【請求項１３】
印刷対象となる複数ページを含む文書データを印刷する際、前記複数ページにおいて本文部分に使用されるページが印刷されたシートを、前記複数ページにおいて表紙部分に使用されるページが印刷されたシートで挟む製本指定を設定する設定手段と、
前記製本指定が設定されている場合、前記文書データにおける本文対象の第１ページから最終ページが、レコード単位に、かつ、指定されたレコード数分繰り返し印刷される本文用の印刷データと、指定されたレコード数分に相当する枚数の表紙が出力される表紙用の印刷データとを生成する生成手段と
してコンピュータを機能させるためのプログラム。
【手続補正２】
【補正対象書類名】明細書
【補正対象項目名】００１１
【補正方法】変更
【補正の内容】
【００１１】
上記目的を達成するために本発明は以下の構成を備える。すなわち、印刷装置と通信可能な情報処理装置であって、
文書データを印刷する際、前記文書データの本文部分用のページが印刷された第１シートを、前記文書データの表紙部分用のページが印刷された第２シートで挟む製本指定を設定する設定手段と、
前記製本指定が設定され、かつ、前記印刷装置と紙搬送路が繋がっていない製本機が使用される場合、前記文書データにおける本文部分用の先頭ページから最終ページがページ順に並んだ指定された部数分の本文の印刷物の束と指定された部数に相当する枚数の表紙の印刷物の束とが出力されるような印刷データを生成する生成手段とを備え、
前記第２シートは、前記第１シートよりも大きいことを特徴とする。